【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
方法であって、
第１の音声データストリーム及び第２の音声データストリームに少なくとも部分的に基づいて、ミックスされた音声データストリームを生成することであって、前記第１の音声データストリームは、遠隔会議に参加している第１の端末デバイスに関連する音を表現し、前記第２の音声データストリームは、前記遠隔会議に参加している第２の端末デバイスに関連する音を表現することと、
前記第１の音声データストリームのより低質なモノラル表現である第１のサブストリームを生成することであって、ここにおいて、前記第１のサブストリームを生成することは、前記第１のサブストリームに対してデータ圧縮を行うためのボコーダを使用することを備えることと、
前記第２の音声データストリームのより低質なモノラル表現である第２のサブストリームを生成することであって、ここにおいて、前記第２のサブストリームを生成することは、前記第２のサブストリームに対してデータ圧縮を行うための前記ボコーダを使用することを備えることと、
少なくとも部分的に前記ミックスされた音声データストリーム内に前記第１のサブストリーム及び前記第２のサブストリームをステガノグラフィ方式で埋め込むことによって修正されたミックスされた音声データストリームを生成し、それによって、前記修正されたミックスされた音声データストリームがモノ音声再生及びステレオ音声再生の両方をサポートするようにすることと、
前記修正されたモノ音声データストリームを前記遠隔会議に参加している第３の端末デバイスに出力することと、を備える、方法。
【請求項２】
前記修正されたミックスされた音声データストリームに関連する音声歪みの量と前記第１及び第２のサブストリームを埋め込む前の前記ミックスされた音声データストリームに関連する音声歪みの量との間の差分は、歪みスレショルドよりも小さく、
前記修正されたミックスされた音声データストリームのビットレートは、前記１及び第２のサブストリームを埋め込む前の前記ミックスされたモノ音声データのビットレートよりも大きくない請求項１に記載の方法。
【請求項３】
前記修正されたミックスされた音声データストリームを生成することは、
データ圧縮形態を前記ミックスされた音声データストリームに適用することと、
前記第１及び第２のサブストリームを前記ミックスされた音声データストリーム内にステガノグラフィ方式で埋め込むことと、を備える請求項１に記載の方法。
【請求項４】
前記第１のサブストリームは、前記第１の音声データストリームよりも低いビットレートを有し、前記第２のサブストリームは、前記第２の音声データストリームよりも低いビットレートを有する請求項１に記載の方法。
【請求項５】
前記修正されたミックスされた音声データストリームを生成することは、前記第１及び第２のサブストリームを示すために前記ミックスされたモノ音声データの音声サンプルの最下位ビットを修正することを備える請求項１に記載の方法。
【請求項６】
方法であって、
ミックスされた音声データストリームから第１のサブストリームを抽出するための逆ステガノグラフィプロセスを実行することであって、ここにおいて、前記第１のサブストリームは、遠隔会議に参加している第１の端末デバイスに関連する音を表現する第１の音声データストリームのより低質なモノラル表現であり、ここにおいて、前記第１のサブストリームは、前記第１のサブストリームに対してデータ圧縮を行うためのボコーダを使用して生成されることと、
前記ミックスされた音声データストリームから第２のサブストリームを抽出するための逆ステガノグラフィプロセスを実行することであって、ここにおいて、前記第２のサブストリームは、前記遠隔会議に参加している第２の端末デバイスに関連する音を表現する第２の音声データストリームのより低質なモノラル表現であり、ここにおいて、前記第２のサブストリームは、前記第２のサブストリームに対してデータ圧縮を行うための前記ボコーダを使用して生成されることと、
前記ミックスされた音声データストリーム、前記第１のサブストリーム及び前記第２のサブストリームに少なくとも部分的に基づいて、マルチチャネル音声データストリームを生成することと、を備える、方法。
【請求項７】
前記ミックスされた音声データストリームは、前記第１の端末デバイスに関連する前記音及び前記第２の端末デバイスに関連する前記音のミックスのモノラル表現を含み、
前記マルチチャネル音声データストリームを生成することは、空間化されたステレオ音声データストリームを生成し、それによって、前記第１の端末デバイスに関連する前記音は、聴く人の左側の空間内のある地点から来ると知覚され、前記第２の端末デバイスに関連する音は、前記聴く人の右側の空間内のある地点から来ると知覚されることを備える請求項６に記載の方法。
【請求項８】
前記空間化されたステレオ音声データストリームを生成することは、
前記第１のサブストリームに少なくとも部分的に基づいて、前記第１の端末デバイスに関連する前記音を決定することと、
前記第２のサブストリームに少なくとも部分的に基づいて、前記第２の端末デバイスに関連する前記音を決定することと、
前記第１の端末デバイスに関連する前記音に少なくとも部分的に基づいて、前記ミックスされた音声データストリームの第１のコピーに頭部伝達関数（ＨＲＴＦ）を適用することであって、前記空間化されたステレオ音声データストリームの左チャネルは、前記ミックスされた音声データストリームの前記第１のコピーに少なくとも部分的に基づくことと、
前記第２の端末デバイスに関連する前記音に少なくとも部分的に基づいて、前記ミックスされた音声データストリームの第２のコピーに前記ＨＲＴＦを適用することであって、前記空間化されたステレオ音声データストリームの右チャネルは、前記ミックスされた音声データストリームの前記第２のコピーに少なくとも部分的に基づくことと、を備える請求項７に記載の方法。
【請求項９】
前記第１の端末デバイスに関連する前記音は、前記第２の端末デバイスに関連する話声と同時並行である話声を含む請求項７に記載の方法。
【請求項１０】
前記第１及び第２のサブストリームを示すための前記ミックスされたモノ音声データの音声サンプルの最下位ビットである請求項６に記載の方法。
【請求項１１】
前記第１及び第２のサブストリームのビットレートは、前記ミックスされた音声データストリームのビットレートよりも低い請求項６に記載の方法。
【請求項１２】
前記ミックスされた音声データストリームは、モノラル再生用に構成されてステレオ再生用に構成されていない端末デバイスと互換性がある請求項６に記載の方法。
【請求項１３】
デバイスであって、
第１の音声データストリーム及び第２の音声データストリームに少なくとも部分的に基づいて、ミックスされた音声データストリームを生成するための手段であって、前記第１の音声データストリームは、遠隔会議に参加している第１の端末デバイスに関連する音を表現し、前記第２の音声データストリームは、前記遠隔会議に参加している第２の端末デバイスに関連する音を表現する手段と、
前記第１の音声データストリームのより低質なモノラル表現である第１のサブストリームを生成するための手段であって、ここにおいて、前記第１のサブストリームを生成することは、前記第１のサブストリームに対してデータ圧縮を行うためのボコーダを使用することを備える手段と、
前記第２の音声データストリームのより低質なモノラル表現である第２のサブストリームを生成するための手段であって、ここにおいて、前記第２のサブストリームを生成することは、前記第２のサブストリームに対してデータ圧縮を行うための前記ボコーダを使用することを備える手段と、
少なくとも部分的に前記ミックスされた音声データストリーム内に前記第１のサブストリーム及び前記第２のサブストリームをステガノグラフィ方式で埋め込むことによって修正されたミックスされた音声データストリームを生成し、それによって、前記修正されたミックスされた音声データストリームがモノ音声再生及びステレオ音声再生の両方をサポートするようにするための手段と、
前記修正されたモノ音声データストリームを前記遠隔会議に参加している第３の端末デバイスに出力するための手段と、を備える、デバイス。
【請求項１４】
端末デバイスであって、
ミックスされた音声データストリームから第１のサブストリームを抽出するための逆ステガノグラフィプロセスを実行するための手段であって、ここにおいて、前記第１のサブストリームは、遠隔会議に参加している第１の端末デバイスに関連する音を表現する第１の音声データストリームのより低質なモノラル表現であり、ここにおいて、前記第１のサブストリームは、前記第１のサブストリームに対してデータ圧縮を行うためのボコーダを使用して生成される手段と、
前記ミックスされた音声データストリームから第２のサブストリームを抽出するための逆ステガノグラフィプロセスを実行するための手段であって、ここにおいて、前記第２のサブストリームは、前記遠隔会議に参加している第２の端末デバイスに関連する音を表現する第２の音声データストリームのより低質なモノラル表現であり、ここにおいて、前記第２のサブストリームは、前記第２のサブストリームに対してデータ圧縮を行うための前記ボコーダを使用して生成される手段と、
前記ミックスされた音声データストリーム、前記第１のサブストリーム及び前記第２のサブストリームに少なくとも部分的に基づいて、マルチチャネル音声データストリームを生成するための手段と、を備える、端末デバイス。
【請求項１５】
コンピュータによって読み取り可能な記憶媒体であって、デバイスの１つ以上のプロセッサによって実行されたときに、請求項１乃至１２のうちのいずれか１項に記載の方法を実行することを前記デバイスに行わせる命令、を格納する、コンピュータによって読み取り可能な記憶媒体。